(57)【要約】  【目的】  ペン先となるペン体の視認方向反対側が簡単に視認でき、線引きの終点を容易に認識できると共に、吐出性が良好な筆記具を提供する。  【構成】  外装体内から突出したペン先部材の被筆記面との接触部の後部に被筆記面視認用の空間部を形成すると共に、被筆記面との接触部の後部のインキ通路の断面積を被筆記面との接触部の面積以上とした筆記具とする。【選択図】        図１
2006103011.tif 000002
【特許請求の範囲】
【請求項１】
外装体内から突出したペン先部材の被筆記面との接触部の後部に被筆記面視認用の空間部を形成すると共に、被筆記面との接触部の後部のインキ通路の断面積を被筆記面との接触部の面積以上とした筆記具。
【請求項２】
前記空間部に透明性のペン先形状補強部材を配置した請求項１記載の筆記具。
【請求項３】
前記被筆記面との接触部を長幅と短幅を有する扁平状とすると共に、この被筆記面との接触部の後部を、被筆記面との接触部の短幅方向に膨出した凸部として形成した請求項１又は請求項２に記載の筆記具。
【請求項４】
前記被筆記面との接触部を、ペン先部材の先端に配置された曲面状の接触部配置部の一部又は全部とした請求項１乃至請求項３のいずれかに記載の筆記具。
【発明の詳細な説明】
【技術分野】
【０００１】
本発明は、筆記具本体から供給されるインキを誘導し、かつ保留できるペン先部材を有する筆記具に関する。具体的には、水性マーカー、油性マーカー、ペイントマーカー、ラインマーカー等の筆記具に関する。
【背景技術】
【０００２】
筆記具としては、ペン先部材の後端にインキを吸蔵させたインキ吸蔵体を接続させたもの、ペン先部材とインキ室との間に弁機構を設けてペン先部材の押圧操作で弁を開放してインキを供給するもの、後端をノックして弁機構を開放するようにしたもの、ペン先部材とインキ室との間にインキ保留体を設けたもの、インキ室内に液密に前進する栓体又は逆流防止組成物、栓体及び逆流防止組成物を設けたもの等の筆記具が知られている。
このような筆記具において、描線幅のあるペン先部材で右手を用いて左から右へペン先を移動させて筆記する場合、ペン先部材の右側が見にくく、線の終点を特定しようとすると不便であり、また、横書きの資料に文字上を塗りつぶす場合などもペン先部材の裏側に位置する文字が視認し難いものであった。このような問題に対して、ペン先部材の裏側に位置する文字等が視認でき、線引きの終点位置を容易に認識できる筆記具（特許文献１参照）が提案されている。
【特許文献１】特開平２０００−５２６８２号公報
【発明の開示】
【発明が解決しようとする課題】
【０００３】
特許文献１に開示されているような筆記具では、ペン先部材自身に被筆記面との接触部へのインキ通路を狭くする可視部が形成されているので、被筆記面との接触部へインキを供給するための通路となっているインキ誘導部の断面積が、この可視部の分だけ少なくなっており、被筆記面との接触部へのインキ供給が少なくなってしまう可能性があった。特に、ペン先の移動速度を早くして筆記する場合には、インキ供給が追いつかず、筆跡のカスレが発生する可能性があった。
【課題を解決するための手段】
【０００４】
外装体内から突出したペン先部材の被筆記面との接触部の後部に被筆記面視認用の空間部を形成すると共に、被筆記面との接触部の後部のインキ通路の断面積を被筆記面との接触部の面積以上とした筆記具を要旨とする。
【発明の効果】
【０００５】
外装体内から突出したペン先部材の被筆記面との接触部の後部に被筆記面視認用の空間部を形成しているので、描線幅のあるペン先部材で右手を用いて左から右へペン先を移動させて筆記する場合、ペン先部材の右側の視認が容易となり、線引きの終点位置を容易に認識できることができ、かつ、被筆記面との接触部の後部のインキ通路の断面積を被筆記面との接触部の面積以上としているので、被筆記面との接触部へのインキ供給を十分とし、インキ吐出性も良好とすることができ、また、ペン先の移動速度を早くして筆記する場合でも、インキ供給が追いつかず、筆跡のカスレが発生することがないものとなる。
【発明を実施するための最良の形態】
【０００６】
本発明の筆記具は、特に被筆記面を視認できる、ペン先の被筆記面との接触部の後部に、ペン先を貫通した空間部が形成されたものを使用する場合に良好である。特に、横書き資料の文字上を塗りつぶす等の線引きを目的とする比較的描線幅が広いラインマーカーでは、空間部が比較的大きい上、被筆記面との接触部が比較的大きくなるので、インキの速やかな供給に大きく影響することになるが、空間部の形成によって除去された、インキ通路と同じ又はそれ以上の面積分のインキ通路を空間部が形成された部分以外に設ければ、比較的大きな被筆記面との接触部へ、インキを速やかに移動でき、円滑なインキ供給が可能となる。本発明は、このようなペン先を貫通した空間部が形成されたラインマーカーを使用する際において、極めて効果的かつ確実に、ペン先に被筆記面への速やかなインキ供給を行い、カスレなどの吐出不良を抑制するものである。
【実施例】
【０００７】
以下、図面に基づき一例について説明する。
図１に筆記具の形態についての一例を示す。
ポリプロピレンなどの射出成型品である軸筒１の内部に繊維収束体からなるインキ吸蔵体２を収容し、軸筒１の先端にはペン先部材３が、軸筒１との間に溝状の空気通路４を確保した状態で挿入設置されている。ペン先部材３の後端がインキ吸蔵体２の前端に接続され、インキ吸蔵体２内のインキ５をペン先部材３に、毛細管力により供給するものである。軸筒１の後端には尾栓６が圧入固定され、インキ吸蔵体２の軸筒１内での位置決めや脱落を防止している。
尚、ペン先部材３としては、ポリエチレン、ポリプロピレン、ポリメチルアクリレート、ポリフッ化エチレンの燒結体などの多孔質部材から構成されたものや、ポリエステル、アクリル、ナイロンなどの繊維束を樹脂で固めたもの、ウレタン、ポリエチレン、ポリプロピレンなどの高分子発泡体、多孔質ゴム、不織布、フェルトを樹脂で固めたもの、金属やセラミックなどの燒結体の多孔質部材を適宜使用できる。インキ吸蔵体２に含浸されて収容されているインキ５はラインマーカーとしての透明性蛍光インキを想定しているが、これに限らず、水性染料インキ、水性顔料インキ、油性染料インキ、油性顔料インキ、ゲル状インキを使用することができるし、インキ５に限らず液状化粧料、液状薬剤、塗布液、修正液などを適宜使用することもできる。
【０００８】
図２は、ペン先部材の拡大図である。
ペン先部材３にインキ５を接続する手段として、ここでは、インキ５を吸蔵させたインキ吸蔵体２を接続させたものとしているが、これに限らず、ペン先部材３とインキ室との間に弁機構を設けてペン先部材３の押圧操作で弁を開放してインキ５を供給するもの、後端をノックして弁機構を開放するようにしたもの、ペン先部材３とインキ室との間にインキ保留体を設けたもの、インキ室内に液密に前進する栓体又は逆流防止組成物、栓体及び逆流防止組成物を設けたものなどを採用することができる。
【０００９】
ペン先部材３内には、貫通した空間部３ａが形成され、この空間部３ａには、ペン先部材３の形状を維持、補強するようにペン先部材３の内側に、透明性のあるアクリル樹脂製の形状補強部材７が配置されている。この形状補強部材７はペン先部材３の裏側に位置する文字の視認性を確保するために透明性としてある。形状補強部材７は、透明性を有するものであれば、例えば、ポリエチレンテレフタレート、ポリエチレンナフタレートなどのポリエステル系樹脂、スチレンーイソプレン樹脂、ナイロン１２、ナイロン６、非結晶ナイロン、微結晶性ナイロン、芳香族性ナイロン、脂肪酸ナイロンなどのナイロン系樹脂、アイオノマー樹脂、ＳＢＲ―ＰＰのブレンド樹脂、ポリメチルペンテン、ポリアクリロニトリル、エチレンビニル共重合体、ポリエチレンテレフタレートとポリブチレンテレフタレートとのポリマーアロイなど合成樹脂、ガラスなどが挙げられる。尚、ペン先部材３が硬質であったり、金属等により外周を被覆して、空間部３ａによって、ペン先部材３の形状が損なわれないようになしたものの場合には、本例のような、形状補強部材７を配置しなくてもよい。また、この他、空間部３ａが形成される位置は、本例のものに限らず、空間部３ａの位置をペン先部材３の片側、両側に設けたもの、つまり、ペン先部材３の形状が略Ｌ字、略Ｔ字形状となっているものでも良い。
【００１０】
ペン先部材３は、被筆記面との接触部３ｂと、インキ通路３ｃにより形成されている。インキ通路３ｃの後端はインキ吸蔵体２に接続され、インキ５を被筆記面との接触部３ｂに供給するようなしてある。インキ通路３ｃの後端が縮径しているが、これは、インキ吸蔵体２にペン先部材３の後端が没入して接続を良好にするためになしてある。
【図面の簡単な説明】
【００１１】
【図１】一例を示す縦断面図
【図２】ペン先部材の拡大図
【符号の説明】
【００１２】
１  軸筒
２  インキ吸蔵体
３  ペン先部材
３ａ  空間部
３ｂ  接触部
３ｃ  インキ通路
４  空気通路
５  インキ
６  尾栓
７  形状補強部材
【図１】
2006103011.tif 000003
【図２】
2006103011.tif 000004